(57)【要約】【課題】外部配管との接続部の仕様変更にかかわらず、全体として低コストに実現可能な制御弁ユニットを提供する。【解決手段】制御弁ユニット１は、ボディ１２の管部１８に組み付けられる配管継手２０を備える。管部１８は、その外周面の所定位置に嵌合部３０を有する。配管継手２０は、管部１８と同軸状に接続される継手本体１５０と、継手本体１５０の外周面から管部１８の側に向けて延び、管部１８の外周面にオーバラップする接続部１５６と、接続部１５６に設けられた嵌合部１６２と、を含む。嵌合部１６２は、配管継手２０が管部１８に対して軸線周りに回転することにより、嵌合部３０に対して周方向に嵌合する形状を有する。【選択図】図３
2019015470.tif 000002
【特許請求の範囲】
【請求項１】
一次側から二次側への湯水の流れを制御する給湯用の制御弁ユニットであって、
一次側から湯水を導入する導入ポートと、二次側へ湯水を導出する導出ポートとをつなぐ流体通路と、前記流体通路の中途に設けられた弁部と、を有するボディと、
前記ボディにおいて前記導入ポート又は前記導出ポートを有する管部に組み付けられる配管継手と、
を備え、
前記管部は、その外周面の所定位置に突設された第１嵌合部を有し、
前記配管継手は、
前記管部と同軸状に接続される継手本体と、
前記継手本体の外周面から前記管部の側に向けて延び、前記管部の外周面にオーバラップする接続部と、
前記接続部に設けられた第２嵌合部と、
を含み、
前記第２嵌合部は、前記配管継手が前記管部に対して軸線周りに回転することにより、前記第１嵌合部に対して周方向に嵌合する形状を有することを特徴とする制御弁ユニット。
【請求項２】
前記管部の開口端部に半径方向外向きに延出するフランジが設けられ、
前記フランジにおける周方向の所定箇所に、前記接続部を前記管部の外周に向けて軸線方向に受け入れ可能とする切欠きが設けられ、
前記接続部は、前記配管継手が回転した際に前記継手本体との間に前記フランジを受け入れるスペースを有することを特徴とする請求項１に記載の制御弁ユニット。
【請求項３】
前記第２嵌合部は、前記第１嵌合部の係止部に乗り上げて半径方向外側に撓み、前記係止部を乗り越えることで第１嵌合部に嵌合し、固定されることを特徴とする請求項１または２に記載の制御弁ユニット。
【請求項４】
前記第１嵌合部は、前記管部の開口端部に設けられたフランジの一部を構成することを特徴とする請求項１〜３のいずれかに記載の制御弁ユニット。
【請求項５】
前記第２嵌合部は、前記配管継手が前記管部又は前記管部内の構造体に対して軸線方向に突き当てられた状態で軸線周りに回転することにより、前記第１嵌合部に嵌合することを特徴とする請求項１〜４のいずれかに記載の制御弁ユニット。
【請求項６】
前記流体通路に設けられた逆止弁を備え、
前記継手本体が前記逆止弁を内包することを特徴とする請求項１〜５のいずれかに記載の制御弁ユニット。
【請求項７】
前記継手本体は、前記管部に挿通される挿通部を有し、
前記挿通部に前記逆止弁の軸受が設けられていることを特徴とする請求項６に記載の制御弁ユニット。
【請求項８】
一次側の圧力低下に応動して前記流体通路における前記弁部よりも下流側の所定の空間を大気に開放する大気開放弁と、
前記大気開放弁に並設され、前記管部として前記導出ポートを有する二次側管部と、
を備え、
前記配管継手が、前記二次側管部に組み付けられることを特徴とする請求項１〜７のいずれかに記載の制御弁ユニット。
【発明の詳細な説明】
【技術分野】
【０００１】
本発明は、複数種の弁を一体に有し、一次側から二次側への流体の流れを制御する制御弁ユニットに関する。
【背景技術】
【０００２】
給湯システムには一般に、給湯装置から浴槽へつながる流体通路に、給湯を制御するとともに浴槽からの逆流を防止する制御弁ユニットが設けられている。この制御弁ユニットは、共用のボディに開閉弁、２連の逆止弁および大気開放弁等を一体に組み付けて構成される（例えば、特許文献１参照）。開閉弁を開閉させることにより浴槽への湯水の供給が許容又は遮断される。開閉弁の下流側に第１逆止弁、第２逆止弁が順次設けられ、浴槽側（二次側）から給湯装置側（一次側）への湯水の逆流を段階的に防止する。断水や停電によって一次側の水圧が負圧になったとしても、大気開放弁がその一次側の圧力低下に応動して第１逆止弁と第２逆止弁との間の空間を大気に開放する。このような構成により、万が一、２連の逆止弁の双方が異物の噛み込み等により水密不良となっていたとしても、浴槽の汚水が給湯装置ひいては上水道の方まで逆流することを防止できる。
【０００３】
共用のボディは一般に、専用の金型を用いて樹脂材を射出成形することより得られる。それにより部品点数を削減し、コスト低減を図ることができる。ボディは配管形状をなし、その一次側端部が給湯装置側の外部配管と接続する継手部を構成し、二次側端部が浴槽側の外部配管と接続する継手部を構成する。
【先行技術文献】
【特許文献】
【０００４】
【特許文献１】特開２０１４−１３９５２８号公報
【発明の概要】
【発明が解決しようとする課題】
【０００５】
このような制御弁ユニットは、単一種類を大量生産する点でコストメリットが大きい。しかしながら、給湯設備の仕様に応じて外部配管やその接続構造が異なる場合、共用ボディ全体を取り替えなければならない。そのために共用ボディ全体に係る金型の変更等を強いられる点で改善の余地があった。
【０００６】
本発明はこのような課題に鑑みてなされたものであり、その目的の１つは、外部配管との接続部の仕様変更にかかわらず、全体として低コストに実現可能な制御弁ユニットを提供することにある。
【課題を解決するための手段】
【０００７】
本発明のある態様は、一次側から二次側への湯水の流れを制御する給湯用の制御弁ユニットである。制御弁ユニットは、一次側から湯水を導入する導入ポートと、二次側へ湯水を導出する導出ポートとをつなぐ流体通路と、流体通路の中途に設けられた弁部と、を有するボディと、ボディにおいて導入ポート又は導出ポートを有する管部に組み付けられる配管継手と、を備える。
【０００８】
管部は、その外周面の所定位置に突設された第１嵌合部を有する。配管継手は、管部と同軸状に接続される継手本体と、継手本体の外周面から管部の側に向けて延び、管部の外周面にオーバラップする接続部と、接続部に設けられた第２嵌合部と、を含む。第２嵌合部は、配管継手が管部に対して軸線周りに回転することにより、第１嵌合部に対して周方向に嵌合する形状を有する。
【０００９】
この態様によると、ボディの管部に配管継手が組み付けられる。このため、外部配管の構造が変更されたとしても、配管継手のみ変更すれば仕様を満たすことができる。すなわち、制御弁ユニットの大部分について標準化を実現でき、外部配管との接続部の仕様変更によらず低コストに実現できる。そして特に、配管継手を管部に組み付ける際、配管継手を軸線周りに回転させて両者の嵌合部を嵌合させるという簡易な手法により、部品点数を抑えつつ、配管継手をしっかりと固定できる。
【発明の効果】
【００１０】
本発明によれば、外部配管との接続部の仕様変更にかかわらず、全体として低コストに実現可能な制御弁ユニットを提供できる。
【図面の簡単な説明】
【００１１】
【図１】第１実施形態に係る制御弁ユニットの外観を表す斜視図である。
【図２】制御弁ユニットの正面図である。
【図３】図２のＡ−Ａ矢視断面図である。
【図４】注湯電磁弁ユニットの正面図である。
【図５】図４のＢ−Ｂ矢視断面図である。
【図６】配管継手の構成を表す図である。
【図７】配管継手の注湯電磁弁ユニットへの組付方法を表す図である。
【図８】配管継手の注湯電磁弁ユニットへの組付方法を表す図である。
【図９】第２実施形態に係る制御弁ユニットの構成を示す断面図である。
【図１０】配管継手の構成を表す図である。
【図１１】制御弁ユニットの組立方法を表す図である。
【発明を実施するための形態】
【００１２】
以下、本発明の実施形態を、図面を参照して詳細に説明する。なお、以下の説明においては便宜上、図示の状態を基準に各構造の位置関係を表現することがある。また、以下の実施形態およびその変形例について、ほぼ同一の構成要素については同一の符号を付し、その説明を適宜省略することがある。
【００１３】
［第１実施形態］
図１は、第１実施形態に係る制御弁ユニットの外観を表す斜視図である。図２は、制御弁ユニットの正面図である。図３は、図２のＡ−Ａ矢視断面図である。
【００１４】
図１および図２に示すように、制御弁ユニット１は、注湯電磁弁ユニット１０の下流側端部に配管継手２０が組み付けられて構成される。図３にも示すように、注湯電磁弁ユニット１０は、共用のボディ１２に上流側から開閉弁２、逆止弁４、大気開放弁６、および逆止弁８を組み付けて構成される。開閉弁２は、注湯用の電磁弁であり、その弁部を開閉することにより浴槽への湯水の供給を許容又は遮断する。逆止弁４は「第１逆止弁」として機能し、逆止弁８は「第２逆止弁」として機能する。以下、開閉弁２の上流側を「一次側」、下流側を「二次側」ともいう。開閉弁２の上流側圧力を「一次圧」、下流側圧力を「二次圧」ともいう。
【００１５】
ボディ１２は、樹脂材の一体成形（金型を用いた射出成形）により得られ、一次側から湯水を導入する導入ポート１３、二次側へ湯水を導出する導出ポート１５、およびこれらをつなぐ流体通路１７を有する。流体通路１７の中途（ほぼ中央）に、開閉弁２の弁部が配置されている。
【００１６】
より詳細には、ボディ１２は、本体１４と、本体１４の側部に連設された一次側管部１６と、本体１４の底部に連設された二次側管部１８と、大気開放弁６につながる排出管部２２とを有する。一次側管部１６は、導入ポート１３を有し、一次側の外部配管に接続される。一次側管部１６の内方には、一次側からの異物の侵入を防止又は抑制するストレーナ２４が配設されている。二次側管部１８は、導出ポート１５を有し、配管継手２０を介して二次側の外部配管に接続される。本体１４と二次側管部１８とは同軸状に設けられている。ボディ１２は、一次側管部１６と二次側管部１８の互いの軸線が直交し、一次側管部１６と排出管部２２の互いの軸線が平行となるように設けられている。
【００１７】
本体１４の上端開口部は、開閉弁２が組み付けられることにより封止されている。本体１４と二次側管部１８との接続部には、本体１４と同心状に上流側に延出する円ボス部２３が設けられている。このため、円ボス部２３の側部が一次側管部１６の軸線上に位置する。導入ポート１３を介して一次側管部１６に導入された湯水は、円ボス部２３の周囲を回り込むようにして本体１４に流入する。
【００１８】
二次側管部１８の開口端に配管継手２０が着脱可能に組み付けられている。この状態では、配管継手２０の上端部が導出ポート１５に挿入されるため、配管継手２０の下端開口部に湯水を導出する導出ポート２５が形成される。配管継手２０の上端部には、シール用のＯリング２７が嵌着されており、二次側管部１８と配管継手２０との間隙を介した湯水の漏洩を防止している。なお、二次側の外部配管の継手形状によっては、配管継手２０を除くことができる。すなわち、ボディ１２の二次側管部１８の仕様（継手部の寸法）が外部配管に適合しないときに、その外部配管に適合する配管継手２０を組み付けることで、ボディ１２と外部配管とをその配管継手２０を介して接続できる。
【００１９】
逆止弁８および逆止弁４は、浴槽から給湯装置側への湯水の逆流を段階的に防止する。大気開放弁６は、一次側の圧力低下に応動して逆止弁４と逆止弁８との間の空間を大気に開放する。例えば浴槽が給湯装置よりも高い位置に設置されるような場合、浴槽の側に配置された逆止弁８が異物の噛み込みなどにより水密不良となっていた場合には、浴槽内の汚水がその水頭圧により逆止弁８を介して大気開放弁６まで逆流してくる。このような場合であっても、その汚水は大気開放弁６によって大気に放出されるため、浴槽内の汚水が一次側へ逆流することを防止できる。なお、給湯装置の構成は、例えば特許文献１に記載のように公知であるため、その詳細な説明については省略する。
【００２０】
図４は、注湯電磁弁ユニット１０の正面図である。図５は、図４のＢ−Ｂ矢視断面図である。図４に示すように、二次側管部１８の開口端部に半径方向外向きに延出するフランジ２６が設けられている。二次側管部１８の外周面の所定位置（フランジ２６の近傍）には、配管継手２０を固定するための嵌合部３０（「第１嵌合部」として機能する）が突設されている。嵌合部３０は、フランジ２６の一部を構成するように周方向に延びる第１ガイド部３２と、第１ガイド部３２と平行に延びる第２ガイド部３４と、両ガイド部３２，３４の中央同士を架橋する係止部３６を含む。フランジ２６における嵌合部３０とは反対側（１８０度ずれた側）にはいわゆるＤカットによる平坦な切欠き３７（図１，図５参照）が形成されている。切欠き３７による平坦面は、二次側管部１８の軸線に対して平行とされている。その平坦面と軸線との距離は、フランジ２６の基端の径とほぼ等しい。
【００２１】
図５に示すように、開閉弁２は、弁機構を有する弁本体５０と、駆動部であるソレノイド５２とを一体に組み付けて構成されている。本体１４が、弁本体５０のボディを構成している。本体１４の開口部は、ソレノイド５２が組み付けられることで封止されている。開閉弁２は、一次側から二次側へ流れる湯水の流れを制御する主弁５４と、主弁５４の開閉状態を制御するパイロット弁５６を備える。
【００２２】
上述した円ボス部２３の内周部により主弁孔５８が形成され、その上流側開口端部に主弁座６０が形成されている。円ボス部２３を取り囲む空間は、一次側管部１６に連通する圧力室６２となっており、その圧力室６２には大径の主弁体６４が配設されている。主弁体６４は、主弁座６０に着脱して主弁５４を開閉する。円ボス部２３の下流側端部には逆止弁４の弁孔６５が設けられ、その開口端部に弁座６７が形成されている。
【００２３】
主弁体６４は、ボディ１２とソレノイド５２との間に挟持された可撓性を有するダイアフラム６６に支持されている。ダイアフラム６６は、その中央部が主弁体６４の底部に装着されており、その底部に沿った厚肉部分が主弁座６０に着脱する主弁体６４の一部を構成している。主弁体６４およびダイアフラム６６は、円ボス部２３とは反対側に背圧室６８を区画する。また、主弁体６４には、背圧室６８の内外を連通させ、一次側管部１６からの湯水の一部を背圧室６８に導入可能なリーク通路７０が設けられている。
【００２４】
主弁体６４の中央部には背圧室６８側に突出するボス部が設けられ、そのボス部の上端面にパイロット弁座７２が形成されている。また、主弁体６４の中央部を軸線方向に貫通するようにパイロット弁孔７４が形成されている。また、背圧室６８には、ソレノイド５２により駆動されるパイロット弁体７６が配設されている。パイロット弁体７６は、パイロット弁座７２に着脱してパイロット弁５６を開閉する。パイロット弁体７６は、弾性体（本実施例ではゴム）からなり、ソレノイド５２のプランジャ７８に固定されている。
【００２５】
一方、ソレノイド５２は、ボディ１２の開口端部を封止するように取り付けられた有底段付円筒状のスリーブ８０と、スリーブ８０内に配置されたプランジャ７８と、スリーブ８０の外側に設けられたボビン８４と、ボビン８４に巻回された電磁コイル８６とを含む。パイロット弁体７６は、プランジャ７８の先端部に嵌合され、プランジャ７８と一体的に動作する。スリーブ８０の底部とプランジャ７８との間には、プランジャ７８を介してパイロット弁体７６を閉弁方向に付勢するスプリング８８（「付勢部材」に該当する）が介装されている。
【００２６】
大気開放弁６は、二次側管部１８に対して一次側管部１６とは反対側に設けられている。大気開放弁６のボディ９０は、ボディ１２と一体成形された本体９２と、本体９２を側方から封止するハウジング９４とをＯリング９６およびダイアフラム９８を介して組み付けることにより構成される。本体９２は、排出管部２２を介して二次側管部１８とつながっている。排出管部２２の内方に接続通路１１０が形成されている。ボディ９０は、ダイアフラム９８により感圧室１００と開放室１０２に区画されている。感圧室１００は、検圧通路１０４および小孔１０６を介して本体１４の圧力室６２に連通し、導入ポート１３から導入される湯水の一次圧を導入する。
【００２７】
開放室１０２は、一方で接続通路１１０を介して二次側管部１８の内方に連通し、他方で排出通路１１２を介して大気に開放されている。接続通路１１０は、二次側管部１８における弁孔６５よりも下流側に連通している。開放室１０２と接続通路１１０との間に円ボス部が設けられ、その円ボス部の先端に弁座１１４が形成されている。
【００２８】
開放室１０２には、ダイアフラム９８に支持されるように弁体１１６が配設されている。弁体１１６は、ダイアフラム９８の中央部（厚肉部）にて構成される弾性体１１８と、その弾性体１１８を軸線方向両側から挟むようにして支持する支持部材１１５，１１７にて構成される。支持部材１１５が感圧室１００側から着脱部１１８を支持し、支持部材１１７が開放室１０２側から着脱部１１８を支持する。着脱部１１８が弁座１１４に着脱して大気開放弁６を開閉する。支持部材１１７が本体９２により軸線方向に摺動可能に支持されることで、弁体１１６の安定した動作を確保している。弁体１１６とボディ１２との間には、弁体１１６を開弁方向に付勢するスプリング１１９（「付勢部材」として機能する）が介装されている。
【００２９】
逆止弁４および逆止弁８は、二次側管部１８に組み込まれる逆止弁ユニットとして構成されている。すなわち、この逆止弁ユニットは、段付円筒状のボディ１２０に第１弁体１２２および第２弁体１２４を同軸状に組み付けて構成されている。ボディ１２０は、二次側管部１８にＯリング１２６を介して圧入されている。ボディ１２０の上流側開口端部と下流側開口端部には、円ボス状の軸受部１２８，１４０が設けられている。第１弁体１２２は、軸受部１２８に摺動可能に支持され、弁座６７に下流側から着脱して逆止弁４を開閉する。第１弁体１２２と軸受部１２８との間には、第１弁体１２２を閉弁方向に付勢するスプリング１３２が介装されている。軸受部１２８には、その上流側と下流側とを連通させる連通孔１３４が設けられている。
【００３０】
第２弁体１２４は、第１弁体１２２と同様の構成を有する。ボディ１２０の上半部は縮径されており、その内周部により弁孔１３６が形成されている。そして、弁孔１３６の下流側開口端部により弁座１３８が形成されている。第２弁体１２４は、軸受部１４０に摺動可能に支持され、弁座１３８に下流側から着脱して逆止弁８を開閉する。第２弁体１２４と軸受部１４０との間には、第２弁体１２４を閉弁方向に付勢するスプリング１４２が介装されている。軸受部１４０には、その上流側と下流側とを連通させる連通孔１４４が設けられている。なお、通常の流量制御時における不要な圧力損失を抑制するために、各スプリング１３２，１４２のばね荷重は比較的小さく設定されている。
【００３１】
図６は、配管継手２０の構成を表す図である。（Ａ）は斜視図であり、（Ｂ）は正面図であり、（Ｃ）は右側面図である。（Ｄ）は（Ｂ）のＤ−Ｄ矢視断面図であり、（Ｅ）は（Ｃ）のＥ−Ｅ矢視断面図である。
【００３２】
図６（Ａ）〜（Ｃ）に示すように、配管継手２０は、段付円筒状の継手本体１５０を有する。継手本体１５０は、上部が小径の挿通部１５２となっており、二次側管部１８に挿入可能とされている。挿通部１５２の先端部には、Ｏリング２７を嵌着させるための嵌合溝１５４が形成されている。継手本体１５０の外周面から上方に向けて接続部１５６が延出している。
【００３３】
接続部１５６は、継手本体１５０の外周面に突設された基端部１５８と、基端部１５８から外周面と平行に延びる延在部１６０と、延在部１６０の先端に設けられた嵌合部１６２（「第２嵌合部」として機能する）を有する。図６（Ｄ）および（Ｅ）にも示すように、嵌合部１６２は、継手本体１５０の外周面に向けて突出する係合部１６４と、係合部１６４のやや下方に設けられた小突起１６６と、係合部１６４の幅方向端部に設けられた係止部１６８を有する。係合部１６４および係止部１６８は、延在部１６０からの高さが、二次側管部１８のフランジ２６の高さとほぼ等しくされている。図６（Ｅ）に示すように、小突起１６６は、継手本体１５０との対向面がテーパ面１７０となっている。小突起１６６と係止部１６８とは、係合部１６４の幅方向について互いに反対側に位置する。
【００３４】
継手本体１５０の下端開口部には、半径方向外向きに延出するフランジ１７２が設けられている。継手本体１５０の外周面の所定位置（フランジ１７２の近傍）には、嵌合部１７４が突設されている。嵌合部１７４は、二次側管部１８の嵌合部３０と同様の構造を有し、二次側の外部配管が接続される。フランジ１７２における嵌合部１７４とは反対側（１８０度ずれた側）にはいわゆるＤカットによる平坦な切欠き１７６が形成されている。
【００３５】
図７および図８は、配管継手２０の注湯電磁弁ユニット１０への組付方法を表す図である。図７は両者の全体を表す断面図であり、図８は配管継手２０およびその周辺を表す部分拡大図である。（Ａ）〜（Ｄ）は、その組付過程を示す。（Ｅ）は（Ｄ）のＦ−Ｆ矢視断面図である。
【００３６】
配管継手２０を注湯電磁弁ユニット１０へ組み付ける際には、図７および図８（Ａ）に示すように、Ｏリング２７を嵌着した配管継手２０を、その先端側から（挿通部１５２側から）二次側管部１８へ挿入していく。このとき、接続部１５６を切欠き３７の側に位置させ、フランジ２６と干渉しないようにすることで、スムーズな挿入を実現できる。
【００３７】
そして図８（Ｂ）に示すように、接続部１５６が二次側管部１８の外周面にオーバラップし、配管継手２０が二次側管部１８に対して軸線方向に突き当てられると、図８（Ｃ）にも示すように、配管継手２０を軸線周りに一方向に回転させる。この回転方向は、小突起１６６が係止部１６８よりも先方（前方）となる方向とする。接続部１５６は、この配管継手２０の回転の際に継手本体１５０との間にフランジ２６を受け入れるスペースＳを有する。このため、配管継手２０のスムーズな回転を実現できる。
【００３８】
それにより、図８（Ｄ）に示すように、配管継手２０の嵌合部１６２が、二次側管部１８の嵌合部３０に周方向に嵌合する。このとき、図８（Ｅ）にも示すように、係合部１６４が第２ガイド部３４にガイドされ、小突起１６６のテーパ面１７０が係止部３６に乗り上げる。小突起１６６は、テーパ面１７０の高さが低い側から係止部３６に徐々に乗り上げる。このとき、嵌合部１６２が配管継手２０の半径方向外側に撓むが、小突起１６６が係止部３６を乗り越えると弾性力により元に戻る。それにより、小突起１６６の後面が係止部３６の側面に係止され、配管継手２０が二次側管部１８にしっかりと固定される。
【００３９】
次に、制御弁ユニット１の動作について図３および図５を参照しつつ説明する。
上述した構成おいて、一次側管部１６と二次側管部１８の各内部通路を、背圧室６８を介することなくつなぐ通路が主通路を構成する。各内部通路を背圧室６８を介してつなぐ通路が副通路を構成する。背圧室６８の圧力は、パイロット弁５６の開閉状態によって変化する。
【００４０】
ソレノイド５２がオフにされた状態（非通電状態）では、パイロット弁５６が閉弁して副通路を閉じ、主弁５４が閉弁して主通路を遮断する。すなわち、ソレノイド力が作用しないため、スプリング８８によってパイロット弁体７６が閉弁方向に付勢され、パイロット弁５６が閉弁状態となる。このとき、背圧室６８の圧力と主弁５４の上流側圧力とがほぼ等しくなり、主弁体６４には主弁５４の上流側圧力（一次圧）と下流側圧力（二次圧）との差圧が閉弁方向に作用する。一次圧が高い通常の状態では主弁体６４が押し下げられ、主弁座６０に着座して主弁５４を閉じる。
【００４１】
一方、ソレノイド５２がオンにされた状態（通電状態）では、パイロット弁５６が開弁して副通路を開き、主弁５４が開弁して主通路を開放する。すなわち、ソレノイド力が作用するため、スプリング８８の付勢力に抗してパイロット弁体７６が開弁方向に駆動され、パイロット弁５６が開弁状態となる。このとき、背圧室６８の圧力と主弁５４の下流側圧力とがほぼ等しくなり、主弁体６４には一次圧と二次圧との差圧が開弁方向に作用する。一次圧が高い通常の状態では主弁体６４が押し上げられ、主弁座６０から離間して主弁５４を開く。
【００４２】
湯張り時においてはソレノイド５２への通電がなされ、開閉弁２が全開状態に維持される。このとき、上流側から導入ポート１３を介して湯水が導入され、その水圧により逆止弁４および逆止弁８が開弁状態となる。一方、このような通水時においては、一次圧のほうが二次圧よりも高くなるため、大気開放弁６は閉弁状態を維持する。
【００４３】
一方、湯張りを停止させる際には、ソレノイド５２への通電をオフにする。それにより、ソレノイド５２による吸引力がなくなるため、スプリング８８の付勢力によりパイロット弁体７６がパイロット弁座７２に着座して、パイロット弁５６を閉じる。その結果、主弁５４が主弁座６０に着座し、開閉弁２が閉弁状態となる。
【００４４】
このとき、開閉弁２により湯水の導入が遮断されるため、逆止弁４および逆止弁８はスプリング１３２，１４２の付勢力により閉弁状態となる。一方、給湯装置が正常に動作する限り、一次側管部１６から導入される圧力のほうが、逆止弁４と逆止弁８との間の圧力よりも高くなるため、大気開放弁６は閉弁状態を維持する。
【００４５】
このようにして浴槽に湯が供給された状態において、大気開放弁６の感圧室１００には、検圧通路１０４を介して一次圧が導入されている。この一次圧は通常、二次圧より大きいため、大気開放弁６は閉弁状態を保持する。しかし、例えば停電や断水により給水装置において負圧が発生すると、大気開放弁６がその一次圧の低下を感知して開弁し、逆止弁４と逆止弁８との間の空間にある水を大気に放出する。このとき、仮に逆止弁８が異物の噛み込み等、何らかの要因で水密不良となっていた場合、浴槽の汚水がその水頭圧により逆止弁８を介して大気開放弁６まで逆流する。しかし、その汚水は大気開放弁６により大気に放出されるため、給湯装置の内部ひいては上水道へ逆流することはない。
【００４６】
以上に説明したように、本実施形態によれば、制御弁ユニット１において、ボディ１２の二次側管部１８に配管継手２０が着脱可能に組み付けられる。このため、二次側の外部配管の構造が変更されたとしても、配管継手２０のみ変更すれば足りる。すなわち、注湯電磁弁ユニット１０について標準化を実現でき、二次側設備の仕様変更によらず低コストに実現できる。そして特に、配管継手２０を二次側管部１８に組み付ける際、配管継手２０を軸線周りに回転させて嵌合部３０と嵌合部１６２とを嵌合させるという簡易な手法により、部品点数を抑えつつ、配管継手２０をしっかりと固定できる。
【００４７】
［第２実施形態］
図９は、第２実施形態に係る制御弁ユニットの構成を示す断面図である。以下では第１実施形態との相異点を中心に説明する。図１０は、配管継手の構成を表す図である。（Ａ）は斜視図であり、（Ｂ）は縦断面図である。
【００４８】
図９に示すように、制御弁ユニット２０１においては、配管継手２２０に逆止弁ユニット２２２が一体に設けられている。配管継手２２０がボディ１２に組み付けられることにより、注湯電磁弁ユニット２１０が構成される。
【００４９】
図１０（Ａ）および（Ｂ）にも示すように、配管継手２２０の挿通部２５２が、逆止弁ボディ２３０を構成する。逆止弁ユニット２２２は、逆止弁ボディ２３０に第１弁体１２２および第２弁体１２４を同軸状に組み付けて構成される。逆止弁ボディ２３０の上端部（一次側端部）と下端部（二次側端部）に軸受部１２８，１４０が設けられている。つまり、挿通部２５２に逆止弁４の軸受が設けられている。第１弁体１２２と軸受部１２８との間にスプリング１３２が介装される。軸受部１２８の近傍には連通孔１３４が設けられている。
【００５０】
第１弁体１２２は、段付円柱状の本体２６０と、本体２６０の先端に嵌着された弁部材２６２とを有する。本体２６０は樹脂材からなり、軸受部１２８に挿通される軸部２６４と、軸部２６４の先端側に設けられた弁支持部２６６と、軸部２６４の後端側に設けられた係止部２６８とを有する。弁支持部２６６は、弁部材２６２と嵌合する凹状嵌合部２７０と、弁部材２６２を下流側から指示する支持部２７２を有する。弁部材２６２は、可撓性を有する円板状のゴムからなり、その中央に円形の嵌合孔を有する。弁部材２６２は、その嵌合孔が凹状嵌合部２７０に外嵌されるようにして本体２６０に組み付けられる。
【００５１】
係止部２６８は、軸部２６４の後端に周方向に等間隔で配設された複数の逆止片２７４を有する。これらの逆止片２７４は、軸部２６４の半径方向外向きに突出し、その突出高さが軸部２６４の後端に向かって小さくなるテーパ形状を有する。複数の逆止片２７４の外接円（頂部を結ぶ円）の直径は、軸受部１２８の内径よりやや大きい。軸部２６４の後半部は、隣接する逆止片２７４の間を軸線方向に切り欠いた複数のスリット２７６を有し、半径方向内向きに撓めるように構成されている。
【００５２】
このような構成により、第１弁体１２２を逆止弁ボディ２３０に取り付ける際には、その後端側から軸受部１２８に挿入する。このとき、本体２６０の後端部が逆止片２７４の部位で半径方向内向きにやや撓みつつ挿入される。そして、逆止片２７４が軸受部１２８の後端から抜けると、弾性反力でその撓みが解除される。逆止片２７４が軸受部１２８の後端面に引っ掛かることにより、第１弁体１２２の逆止弁ボディ２３０からの脱落が防止される。第１弁体１２２は、逆止弁ユニット２２２がボディ１２に組み付けられた状態において、弁座６７に流側から着脱して逆止弁４を開閉する（図９参照）。
【００５３】
第２弁体１２４は、第１弁体１２２と同様の構成を有するので、その詳細な説明は省略する。逆止弁ボディ２３０の上流側半部は縮径されており、その内周部により弁孔１３６が形成されている。そして、弁孔１３６の下流側開口端に弁座１３８が形成されている。つまり、継手本体１５０が逆止弁８を内包している。第２弁体１２４は、軸受部１４０に摺動可能に支持され、弁座１３８に下流側から着脱して逆止弁８を開閉する。逆止弁ボディ２３０の先端部には、Ｏリング１２６が嵌着されている。
【００５４】
図１１は、制御弁ユニット２０１の組立方法を表す図である。
制御弁ユニット２０１を組み立てる際には、ボディ１２に対して配管継手２２０を組み付ける。すなわち、逆止弁ユニット２２２の先端部（逆止弁４）を二次側管部１８へ挿入するように組み付ける。このとき、第１実施形態と同様に、接続部１５６を切欠き３７の側に位置させ、フランジ２６と干渉しないようにする。
【００５５】
そして、配管継手２２０が二次側管部１８に対して軸線方向に突き当てられると、配管継手２２０を軸線周りに一方向に回転させる。それにより、配管継手２２０の嵌合部１６２が、二次側管部１８の嵌合部３０に周方向に嵌合する。このとき、嵌合部１６２の小突起１６６（図１０（Ａ）参照）が係止部３６に乗り上げ、嵌合部１６２が嵌合部３０にしっかりと固定される。
【００５６】
本実施形態によれば、比較的構造が複雑でスペースをとる開閉弁２および大気開放弁６の各機能部品が共用のボディ１２に集約的に設けられる。一方、配管継手２２０には比較的構造が簡素でスペースをとらない逆止弁４および逆止弁８が組み付けられる。この状態で配管継手２２０をボディ１２に組み付けることにより制御弁ユニット２０１が得られる。このため、二次側外部配管の構造が変更されたとしても、配管継手２２０（逆止弁ユニット２２２）のみ変更すれば足りる。すなわち、制御弁ユニット１の大きな部分について標準化を実現でき、二次側設備の仕様変更によらず低コストに実現できる。さらに、配管継手２２０と逆止弁ユニット２２２とを一体化したため、これらを別構成とする場合よりも部品点数を削減でき、また組み付け工数も削減できる。その結果、制御弁ユニット２０１全体のコスト低減を図ることができる。
【００５７】
以上、本発明の好適な実施形態について説明したが、本発明はその特定の実施形態に限定されるものではなく、本発明の技術思想の範囲内で種々の変形が可能であることはいうまでもない。
【００５８】
上記実施形態では、配管継手２０を組み付ける際、二次側管部１８に対して軸線方向に突き当てる構成としたが、逆止弁ユニット（逆止弁８）に突き当てる構成としてもよい。
【００５９】
上記実施形態では、配管継手２０を二次側管部１８に組み付ける例を示したが、一次側管部１６に組み付けてもよい。その場合、一次側管部１６に嵌合部３０を設けておく。あるいは、配管継手２０を一次側管部１６および二次側管部１８のそれぞれに組み付けてもよい。
【００６０】
上記実施形態では、注湯電磁弁ユニット１０の一例を示した。すなわち、注湯電磁弁ユニット１０は、流体通路１７における開閉弁２の下流側に設けられた逆止弁４（第１逆止弁）と、流体通路１７における逆止弁４のさらに下流側に設けられた逆止弁８（第２逆止弁）と、一次側の圧力低下に応動して流体通路１７における逆止弁４と逆止弁８との間の空間を大気に開放する大気開放弁６と、を備える。変形例においては、注湯電磁弁ユニットにおける各弁の配置がこれと異なるものでもよい。例えば、大気開放弁が、２連の逆止弁の上流側の空間を大気に開放するものであってもよい。第１逆止弁が開閉弁の上流側に配置されてもよい。
【００６１】
上記実施形態では、給湯用の制御弁ユニット１を例示した。変形例においては、給湯用に限らず、ボディが導入ポートおよび導出ポートを有する他の弁ユニットに対し、同様の配管継手を適用してもよい。さらに、弁ユニットに限らず、例えばフローセンサ等のセンサその他の機能部品がボディに組み込まれる機能ユニットに対し、同様の配管継手を適用してもよい。すなわち、一次側から二次側への流体の流れを制御する機能ユニットであって、一次側から流体を導入する導入ポートと、二次側へ流体を導出する導出ポートとをつなぐ流体通路を有するボディと、ボディにおいて導入ポート又は導出ポートを有する管部に組み付けられる配管継手と、を備えるものでよい。前記管部は、その外周面の所定位置に突設された第１嵌合部を有する。前記配管継手は、前記管部と同軸状に接続される継手本体と、前記継手本体の外周面から前記管部の側に向けて延び、前記管部の外周面にオーバラップする接続部と、前記接続部に設けられた第２嵌合部と、を含む。前記第２嵌合部は、前記配管継手が前記管部に対して軸線周りに回転することにより、前記第１嵌合部に対して周方向に嵌合する形状を有する。
【００６２】
この態様によれば、機能ユニットの仕様に応じて外部配管やその接続構造が異なる場合に、ボディ全体を取り替えなければならなかったという従来の問題を解決できる。一次側又は二次側の外部配管の構造が変更されたとしても、配管継手のみ変更すれば仕様を満たすことができる。すなわち、機能ユニットの大部分について標準化を実現でき、一次側又は二次側設備の仕様変更によらず低コストに実現できる。そして特に、配管継手を管部に組み付ける際、配管継手を軸線周りに回転させて両者の嵌合部を嵌合させるという簡易な手法により、部品点数を抑えつつ、配管継手をしっかりと固定できる。
【００６３】
上記実施形態では、開閉弁２をソレノイド駆動の電磁弁としたが、駆動部として例えばステッピングモータ等を採用するなど、モータ駆動の電動弁としてもよい。
【００６４】
上記実施形態では、本発明の制御弁ユニットを給湯装置に適用する例を示した。変形例においては、湯水以外を制御対象とし、流体の流量の調整や遮断が必要となる流体循環装置に適用してもよい。
【００６５】
なお、本発明は上記実施形態や変形例に限定されるものではなく、要旨を逸脱しない範囲で構成要素を変形して具体化することができる。上記実施形態や変形例に開示されている複数の構成要素を適宜組み合わせることにより種々の発明を形成してもよい。また、上記実施形態や変形例に示される全構成要素からいくつかの構成要素を削除してもよい。
【符号の説明】
【００６６】
１  制御弁ユニット、２  開閉弁、４  逆止弁、６  大気開放弁、８  逆止弁、１０  注湯電磁弁ユニット、１２  ボディ、１３  導入ポート、１４  本体、１５  導出ポート、１６  一次側管部、１７  流体通路、１８  二次側管部、２０  配管継手、２２  排出管部、２５  導出ポート、２６  フランジ、２７  Ｏリング、３０  嵌合部、３２  第１ガイド部、３４  第２ガイド部、３６  係止部、３７  切欠き、５２  ソレノイド、５４  主弁、５６  パイロット弁、６４  主弁体、６６  ダイアフラム、６８  背圧室、７６  パイロット弁体、９８  ダイアフラム、１００  感圧室、１０２  開放室、１０４  検圧通路、１１０  接続通路、１１２  排出通路、１１６  弁体、１２２  第１弁体、１２４  第２弁体、１２６  Ｏリング、１２８  軸受部、１４０  軸受部、１５０  継手本体、１５２  挿通部、１５６  接続部、１６２  嵌合部、１６４  係合部、１６６  小突起、１７０  テーパ面、１７２  フランジ、１７４  嵌合部、１７６  切欠き、２０１  制御弁ユニット、２１０  注湯電磁弁ユニット、２２０  配管継手、２２２  逆止弁ユニット、２３０  逆止弁ボディ、２５２  挿通部、Ｓ  スペース。
【図１】
2019015470.tif 000003
【図２】
2019015470.tif 000004
【図３】
2019015470.tif 000005
【図４】
2019015470.tif 000006
【図５】
2019015470.tif 000007
【図６】
2019015470.tif 000008
【図７】
2019015470.tif 000009
【図８】
2019015470.tif 000010
【図９】
2019015470.tif 000011
【図１０】
2019015470.tif 000012
【図１１】
2019015470.tif 000013